【事件の表示】
　特願２００６−１０７０２４「文字入力装置、文字入力方法、文字入力プログラム、及び携帯端末装置」拒絶査定不服審判事件〔平成１９年１０月２５日出願公開、特開２００７−２８０１５３〕について、次のとおり審決する。
【結　論】
　本件審判の請求は、成り立たない。
【理　由】
第１　手続きの経緯
　本願は、平成１８年４月１０日の出願であって、平成２３年２月２８日付けで拒絶査定がなされたところ、これに対して同年６月７日に拒絶査定に対する審判請求がなされるとともに手続補正書が提出されたものである。
　
第２　補正却下の決定
　平成２３年６月７日に提出された手続補正書による補正の却下の決定
　　
（１）［補正却下の決定の結論］
　平成２３年６月７日に提出された手続補正書による補正（以下、「本件補正」という。）を却下する。
　　
（２）［補正却下の決定の理由］
（ａ）補正の内容
　本件補正によると、その特許請求の範囲の請求項１は、
「タッチパネル機能を備えた表示手段と、
　上記表示手段に表示する各文字に対応するタッチ操作領域サイズ、及び他のタッチ操作領域よりも大きなサイズとするタッチ操作領域の数である拡大表示数を決定するためのタッチ操作領域サイズ決定手段と、
　入力候補となる複数の文字を上記表示手段に表示する際に、上記タッチ操作領域サイズ決定手段により決定された上記タッチ操作領域サイズ、及び上記拡大表示数の各タッチ操作領域を表示すると共に、上記各タッチ操作領域に、それぞれ対応する入力頻度、或いは入力される確率を有する文字を表示する表示制御手段と、
　上記表示制御手段により上記表示手段に表示制御された各文字のうち、いずれかの文字がタッチ操作された際に、このタッチ操作された文字の入力処理を行う入力処理手段と
　を有する文字入力装置。」
と補正されている。　
　　
　上記補正は、本件補正前の請求項１に記載した発明を特定するために必要な事項である「各文字の入力頻度と入力される確率に応じて、各文字に対応するタッチ操作領域サイズを決定する」及び「上記タッチ操作領域サイズ決定手段により決定された上記タッチ操作領域サイズの各タッチ操作領域に、それぞれ対応する入力頻度、或いは入力される確率を有する文字を表示する」を、それぞれ「上記表示手段に表示する各文字に対応するタッチ操作領域サイズ、及び他のタッチ操作領域よりも大きなサイズとするタッチ操作領域の数である拡大表示数を決定する」及び「上記タッチ操作領域サイズ決定手段により決定された上記タッチ操作領域サイズ、及び上記拡大表示数の各タッチ操作領域を表示するすると共に、上記各タッチ操作領域に、それぞれ対応する入力頻度、或いは入力される確率を有する文字を表示する」とするものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　　
（ｂ）引用文献
（１）原査定の拒絶の理由に引用された特開２００５−２８４４５６号公報（以下、「引用例」という。）には、図面とともに、以下のような記載がある。
（ア）「【００４５】
　図８〜図１３は、パソコンの日本語キーボードで入力できるキーに対して９キー配置を適用した場合の例である。３つのモードを切り替える事により、９つのキーで日本語キーボード上のほぼ全てのキーを入力することが出来る。かなモードの時は図８が、英字モードの時は図９が、数字モードの時は図１０がそれぞれ適用される。全てのモードの第一階層には、それぞれ＜制御＞と＜記号＞の階層移動キーが存在し、制御キー（カーソル移動キーなど）や記号を入力する時にはモード変更をしなくても良いようになっている。＜制御＞階層移動キーが押下された時は図１１の４１００が、＜記号＞階層移動キーが押下された時には図１２の５１００がそれぞれ表示される。
　かなモードの配置は、第２階層と第３階層において階層移動キーと文字入力キーが混在していて、使用頻度の高い文字を浅い階層に配置しているので、平均して少ないキー操作で文字の入力が出来るようになっている。また、「あかさたなはまら」の各行に対して「あいうえお」の５列と拗音（ゃゅょ）の３文字を加えて８文字の文字入力キーで構成されているので「きゃ」「きゅ」「きょ」などの２文字が一度に入力できる。
　また、清音と濁音が存在する行は第２階層に清音が配置され、第３階層に濁音が配置されている。第２階層の階層移動キーの位置は第１階層の階層移動キーの位置と一致しているので濁音を入力する時は同一キーを２回押下することで対応する濁音の階層が表示される。例えば、かな第１階層１０００において、＜か＞階層移動キーを２回押下すると第３階層＜が＞１２１０が表示される。同様に半濁音「ぱ」は「は」の第４階層に配置され、かな第１階層１０００において、＜は＞階層移動キーを３回押下すると第４階層＜ぱ＞１６１１が表示される。このように階層を配置することにより覚えやすく打ちやすい配置を実現している。」（段落【００４５】）
　　　
（イ）「【００４７】
　かなモードと英字モードにおいては、文字入力キーが押下され該当文字が入力された後２文字目入力の階層が表示される。図１３は２文字目入力の階層の配置を示したものである。
【００４８】
　かなモードにおいて、第３階層＜です＞１７３０以外の階層で文字を確定した場合、かなモード２文字目６００１が表示される。かなモード２文字目６００１には使用頻度の特に高い文字が配置されている。したがって、少ないキー入力で文字が入力できるとともに「かん」などの音節単位で、より自然な入力が出来る。
　かなモードにおいて、第３階層＜です＞１７３０の階層で文字を確定した場合、かなモード２文字目＜です＞６００２が表示される。かなモード２文字目＜です＞６００２には文末に使用する文字が配置されている。」（段落【００４７】、【００４８】）
　　
（ウ）「【００６５】
　図１５は「きょうは」という文字列を入力する場合の例である。初めに、ガイド表示部のキー入力部にかなモード第１階層１０００が表示される。ここから階層移動キー「か」を指定し、文字入力キー「きょ」が存在する第２階層＜か＞１２００に移動する。そして第２階層＜か＞１２００にて文字入力キー「きょ」を指定することにより「きょ」の入力が確定し、入力結果部２００に「きょ」が表示される。
　次に、２文字目入力アシスト機能が働き「う」を入力する。この機能は、文字の入力が確定した後に連続して２文字目を入力できる機能であり、使用頻度の高い文字を配置することにより、少ない操作で文字が入力出来るようになる。ガイド表示部のキー入力部にかなモード２文字目６００１が表示されるため、このかなモード２文字目６００１から文字入力キー「う」を指定することにより「う」の入力が確定し入力結果部２００に「う」が表示される。かなモード２文字目６００１から文字を入力すると、ガイド表示部のキー入力部にはかなモード第１階層１０００が表示される。次の文字を入力するため、階層移動キー「は」を指定し、文字入力キー「は」が存在する第２階層＜は＞１６００に移動する。そして、第２階層＜は＞１６００にて文字入力キー「は」を指定することにより、「は」の入力が確定し入力結果部２００に「は」が表示される。
　これで文字列「きょうは」の入力が完了する。」（段落【００６５】）
　　　
（エ）「【００７０】
　図１９は、９キー配置の入力方式のタッチパネルを入力兼表示装置として有する情報処理装置（以降タッチパネル装置と記述）における実施形態である。タッチパネル装置５１の表示画面５２にはガイド表示部１００を表示する。ガイド表示部１００のキー入力部１０１には第１階層・第２階層・第３階層以下の階層の文字配列のうち、第１階層もしくは階層移動キーにより表示を切り替えられた第２階層以下の文字配列が表示される。手の指先等により表示画面５２の任意の位置をタッチすることにより入力操作を行う。キー入力部１０１は、縦に３つ横に３つの正方状にキーが配置されており、手の指先等によりいずれかのキーにタッチすることによりキー入力部１０１に表示された階層移動キーおよび文字入力キーが押下されたこととなる。階層移動キーが押下にされた場合は、仮想キーに示された階層の文字配列にキー入力部１０１の文字配列が切り替わる。文字入力キーが押下された場合は、仮想キーに表示された文字の入力を確定することができる。入力が確定した文字は表示画面５２の入力結果部２００に表示される。図１９では「かな」が表示されているが、英字、数字、制御、記号を入力する場合は、ガイド表示部１００の機能キー１０２によって切り替えを行う。文字入力を終了する場合は、ガイド表示部１００の終了キー１０３を使用する。」（段落【００７０】）
　
　以上の記載によれば、この引用例には以下のような発明（以下、「引用発明」という。）が開示されていると認められる。
「９キー配置の入力方式のタッチパネルを入力兼表示装置として有し、
　表示画面５２のキー入力部１０１には第１階層・第２階層・第３階層以下の階層の文字配列のうち、第１階層もしくは階層移動キーにより表示を切り替えられた第２階層以下の文字配列が、縦に３つ横に３つの正方状にキーが配置されて表示され、手の指先等によりいずれかのキーにタッチすることによりキー入力部１０１に表示された階層移動キーおよび文字入力キーが押下されたことになり、階層移動キーが押下された場合は、当該キーに示された階層の文字配列にキー入力部１０１の文字配列が切り替わり、文字入力キーが押下された場合は、当該キーに表示された文字の入力を確定することができ、
　かなモードの配置は、第２階層と第３階層において階層移動キーと文字入力キーが混在していて、使用頻度の高い文字を浅い階層に配置しているので、平均して少ないキー操作で文字の入力が出来るようになり、「あかさたなはまら」の各行に対して「あいうえお」の５列と拗音（ゃゅょ）の３文字を加えて８文字の文字入力キーで構成されているので「きゃ」「きゅ」「きょ」などの２文字が一度に入力でき、
　かなモードにおいて、第３階層＜です＞１７３０以外の階層で文字を確定した場合、かなモード２文字目６００１の使用頻度の特に高い文字が配置されて表示され、第３階層＜です＞１７３０の階層で文字を確定した場合、かなモード２文字目＜です＞６００２で文末に使用する文字が配置されて表示され、
　例えば、「きょうは」という文字列を入力する場合、ガイド表示部のキー入力部にかなモード第１階層１０００が表示され、階層移動キー「か」を指定し、文字入力キー「きょ」が存在する第２階層＜か＞１２００に移動し、第２階層＜か＞１２００にて文字入力キー「きょ」を指定することにより「きょ」の入力が確定し、入力結果部２００に「きょ」が表示され、
　次に、文字の入力が確定した後に連続して２文字目を入力するとき、使用頻度の高い文字を配置することにより、少ない操作で文字が入力出来るようになっており、ガイド表示部のキー入力部にかなモード２文字目６００１が表示され、このかなモード２文字目６００１から文字入力キー「う」を指定することにより「う」の入力が確定し入力結果部２００に「う」が表示され、かなモード２文字目６００１から文字を入力すると、ガイド表示部のキー入力部にはかなモード第１階層１０００が表示され、階層移動キー「は」を指定し、文字入力キー「は」が存在する第２階層＜は＞１６００に移動し、第２階層＜は＞１６００にて文字入力キー「は」を指定することにより、「は」の入力が確定し入力結果部２００に「は」が表示され、文字列「きょうは」の入力が完了する情報処理装置。」　
　　　
（ｃ）対　比
　本願補正発明と引用発明とを対比する。
（１）引用発明は、タッチパネルを入力兼表示装置として有しているから、引用発明の「表示画面５２」は、本願補正発明の「タッチパネル機能を備えた表示手段」に相当する。
（２）引用発明の「第２階層以下の文字配列」は、本願補正発明の「入力候補となる複数の文字」に相当する。
（３）引用発明の「表示画面５２のキー入力部１０１には第１階層・第２階層・第３階層以下の階層の文字配列のうち、第１階層もしくは階層移動キーにより表示を切り替えられた第２階層以下の文字配列が、縦に３つ横に３つの正方状にキーが配置されて表示され」る構成は、本願補正発明の「入力候補となる複数の文字を上記表示手段に表示する際に、上記タッチ操作領域サイズ決定手段により決定された上記タッチ操作領域サイズ、及び上記拡大表示数の各タッチ操作領域を表示すると共に、上記各タッチ操作領域に、それぞれ対応する入力頻度、或いは入力される確率を有する文字を表示する表示制御手段」と「入力候補となる複数の文字を上記表示手段に表示する際に、所定のタッチ領域サイズ及び所定表示数の各タッチ操作領域を表示すると共に、上記各タッチ操作領域に、それぞれ対応する文字を表示する表示制御手段」の点で共通するといえる。
（４）引用発明の「第２階層以下の文字配列が、縦に３つ横に３つの正方状にキーが配置されて表示され、手の指先等によりいずれかのキーにタッチすることによりキー入力部１０１に表示された階層移動キーおよび文字入力キーが押下されたことになり、階層移動キーが押下にされた場合は、当該キーに示された階層の文字配列にキー入力部１０１の文字配列が切り替わり、文字入力キーが押下された場合は、当該キーに表示された文字の入力を確定することができ」る構成は、本願補正発明の「上記表示制御手段により上記表示手段に表示制御された各文字のうち、いずれかの文字がタッチ操作された際に、このタッチ操作された文字の入力処理を行う入力処理手段」に相当する。
（５）引用発明の「情報処理装置」は、文字列を入力するから、本願補正発明の「文字入力装置」に相当する。
　　
　そうすると、本願補正発明の用語を用いると両者は、
「タッチパネル機能を備えた表示手段と、
　入力候補となる複数の文字を上記表示手段に表示する際に、所定のタッチ領域サイズ及び所定表示数の各タッチ操作領域を表示すると共に、上記各タッチ操作領域に、それぞれ対応する文字を表示する表示制御手段と、
　上記表示制御手段により上記表示手段に表示制御された各文字のうち、いずれかの文字がタッチ操作された際に、このタッチ操作された文字の入力処理を行う入力処理手段と
　を有する文字入力装置。」
で一致するものであり、次の（１）、（２）の点で相違している。
　　
（１）本願補正発明は、「上記表示手段に表示する各文字に対応するタッチ操作領域サイズ、他のタッチ操作領域よりも大きなサイズとするタッチ操作領域の数である拡大表示数を決定するためのタッチ操作領域サイズ決定手段」を有するのに対し、引用発明は、そのようなタッチ操作領域サイズ決定手段について記載がない点。
　
（２）本願補正発明は、「入力候補となる複数の文字を上記表示手段に表示する際に、上記タッチ操作領域サイズ決定手段により決定された上記タッチ操作領域サイズ、及び上記拡大表示数の各タッチ操作領域を表示すると共に、上記各タッチ操作領域に、それぞれ対応する入力頻度、或いは入力される確率を有する文字を表示する表示制御手段」を有するのに対し、引用発明は、そのような表示制御手段について記載がない点。
　　
（ｄ）当審の判断
　上記相違点（１）、（２）について検討する。
　引用発明は、表示手段に複数の入力候補文字が縦に３つ横に３つの正方状のキーに配置されて表示されているから、表示手段に表示する各文字に対応するタッチ領域サイズを決定しているといえる。
　また、引用例には、「使用頻度の高い文字を浅い階層に配置しているので、平均して少ないキー操作で文字の入力が出来るようになっている。」（記載事項（ア）段落【００４５】）及び「かなモード２文字目６００１には使用頻度の特に高い文字が配置されている。」（記載事項（イ）段落【００４８】）と記載されており、入力候補となる複数の文字を表示手段に表示する際に、各タッチ操作領域に、それぞれ対応する入力頻度、或いは入力される確率を有する文字を表示することが示されている。
　そして、入力候補となる複数の文字を表示手段に表示する際に、他のタッチ操作領域よりも大きなサイズのタッチ操作領域を検索などで決定された数表示すると共に、前記他のタッチ操作領域よりも大きなサイズの各タッチ操作領域に、他のタッチ操作領域よりも入力頻度或いは入力される確率の高い文字をそれぞれ表示し、かつ、タッチ操作領域全体の面積を変更しないことは、本願出願前周知（例えば、特開平８−２２１１６９号公報段落【０００６】「そこで本発明は、ソフトウェアキーボードによる入力を行う端末装置において、ソフトウェアキーボードの表示で占有する表面積を超えることなく、頻繁に入力する文字列、すなわち連続したデータの入力を容易に行うソフトウェアキーボード表示方法とその装置を提供することとを目的とする。」、段落【００１５】「１文字以上の入力がなされた後は、入力がされた文字が使用されている単語一覧表から検索し、その結果次入力文字を推測し、次入力にあたるソフトキーを拡大表示する。例えば、１文字目が「Ｏ」であり、単語一覧に「Ｏ」から始まる単語として「ＯＦ」、「ＯＮ」が登録されていれば、２文字目の入力は「Ｆ」または「Ｎ」と推測し、ソフトウェアキーボードの「Ｆ」と「Ｎ」にあたるソフトキーを拡大表示する。」の記載、特開平９−１６０９１０号公報、段落【０００８】「本発明に係る請求項１のソフトウェアキーボード表示方式は、表示画面に表示されたソフトウェアキーボードを操作することによりローマ字入力を行うものであって、１文字以上のアルファベットが入力されると次に入力されるべきアルファベットをローマ字変換規則表の検索により推測し、その推測されたアルファベットに相当するキー表示を前記ソフトウェアキーボードの表示占有領域の範囲内で拡大表示するように構成してあることを特徴としている。次入力候補のキー表示面積が大きくされるのでそのキーが見やすいものとなり、ローマ字入力操作において２文字目以降の入力操作すべきキーが素早く見つかり、その入力操作を容易・迅速に行うことができる。」、段落【００１６】「以上のように、実施の形態１は１文字以上の入力がなされた後の動作モードに係るものであり、１文字以上の入力がなされた後は、次入力に相当するキー表示が拡大表示３３ａされる。例えば、アルファベットの「Ｇ」が入力された後は、この「Ｇ」に基づいてローマ字変換規則表においてアルファベット「Ｇ」が用いられるローマ字が検索され、その結果として次入力に相当する文字としてアルファベットの「Ａ」，「Ｉ」，「Ｕ」，「Ｅ」，「Ｏ」および「Ｙ」が推測され、ソフトウェアキーボード３３においてこれらの推測されたアルファベットに相当するキー表示が図４のように拡大表示３３ａされる。」の記載参照）である。
　したがって、引用発明において、上記周知技術を適用し、「上記表示手段に表示する各文字に対応するタッチ操作領域サイズ、他のタッチ操作領域よりも大きなサイズとするタッチ操作領域の数である拡大表示数を決定するためのタッチ操作領域サイズ決定手段」及び「入力候補となる複数の文字を上記表示手段に表示する際に、上記タッチ操作領域サイズ決定手段により決定された上記タッチ操作領域サイズ、及び上記拡大表示数の各タッチ操作領域を表示すると共に、上記各タッチ操作領域に、それぞれ対応する入力頻度、或いは入力される確率を有する文字を表示する表示制御手段」を有するようにすることは、当業者が容易になし得ることである。
　　　
　本願補正発明により奏される効果は、引用発明及び周知技術から、当業者が予想し得る範囲内のものと認められる。
　
（ｅ）結論
　そうすると、本願補正発明は、引用発明及び周知技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
 　
第３　本願発明
　上記のとおり、上記本件補正は却下されたので、本願請求項１に係る発明（以下、「本願発明」という。）は、平成２３年２月１４日に提出された手続補正書における特許請求の範囲の請求項１に記載された事項により特定される、以下のとおりのものである。
「タッチパネル機能を備えた表示手段と、
　各文字の入力頻度と入力される確率に応じて、各文字に対応するタッチ操作領域サイズを決定するためのタッチ操作領域サイズ決定手段と、
　入力候補となる複数の文字を上記表示手段に表示する際に、上記タッチ操作領域サイズ決定手段により決定されたタッチ操作領域サイズの各タッチ操作領域に、それぞれ対応する入力頻度、或いは入力される確率を有する文字を表示する表示制御手段と、
　上記表示制御手段により上記表示手段に表示制御された各文字のうち、いずれかの文字がタッチ操作された際に、このタッチ操作された文字の入力処理を行う入力処理手段と
　を有する文字入力装置。」
　
第４　引用例
　原査定の拒絶理由に引用された引用例及びその記載事項は、前記「第２　（２）（ｂ）」に記載したとおりである。
　
第５　対比・判断
　本願発明は、前記「第２」で検討した本願補正発明の「上記表示手段に表示する各文字に対応するタッチ操作領域サイズ、及び他のタッチ操作領域よりも大きなサイズとするタッチ操作領域の数である拡大表示数を決定する」及び「上記タッチ操作領域サイズ決定手段により決定された上記タッチ操作領域サイズ、及び上記拡大表示数の各タッチ操作領域を表示するすると共に、上記各タッチ操作領域に、それぞれ対応する入力頻度、或いは入力される確率を有する文字を表示する」を、それぞれ「各文字の入力頻度と入力される確率に応じて、各文字に対応するタッチ操作領域サイズを決定する」及び「上記タッチ操作領域サイズ決定手段により決定された上記タッチ操作領域サイズの各タッチ操作領域に、それぞれ対応する入力頻度、或いは入力される確率を有する文字を表示する」とするものである。
　そうすると、本願発明の構成要件を全て含み、さらに限定したものに相当する本願補正発明が前記「第２」に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　　
第６　むすび
　以上のとおり、本願発明は、引用発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。